(57)【要約】  照明装置であって、少なくとも１つの発光ダイオード（２０）と、少なくとも１つの光学的なエレメント（３０）とが設けられている形式のものにおいて、発光ダイオード（２０）と光学的なエレメント（３０）とが、少なくとも１つの嵌合ピン（３１，３２）によって互いに対して位置調整されていることを特徴とする照明装置が記載される。さらに、このような照明装置を製造するための方法が記載される。前記照明装置は自動車用のヘッドライトにおける使用のために特に好適である。
2008518410.tif 000002
【特許請求の範囲】
【請求項１】
照明装置であって、
−少なくとも１つの発光ダイオード（２０）と、
−少なくとも１つの光学的なエレメント（３０）と
が設けられている形式のものにおいて、発光ダイオード（２０）と光学的なエレメント（３０）とが、少なくとも１つの嵌合ピン（３１，３２）によって互いに対して位置調整されていることを特徴とする照明装置。
【請求項２】
各発光ダイオード（２０）に正確に１つの光学的なエレメント（３０）が後置されている、請求項１記載の照明装置。
【請求項３】
複数の発光ダイオード（２０）に１つの共通の光学的なエレメント（３０）が後置されている、請求項１または２記載の照明装置。
【請求項４】
光学的なエレメント（３０）が、少なくとも部分的にファイバ光学系により形成されている、請求項１から３までのいずれか１項記載の照明装置。
【請求項５】
発光ダイオードチップ（１）により発せられた光線が、対応するファイバ光学系の正確に１つのファイバ内へ入力結合される、請求項４記載の照明装置。
【請求項６】
少なくとも１つの嵌合ピン（３１）が、光学的なエレメント（３０）に組み込まれた構成要素である、請求項１から５までのいずれか１項記載の照明装置。
【請求項７】
光学的なエレメント（３０）が少なくとも１つの切欠きを有しており、該切欠きが、嵌合ピンを収容するために適している、請求項１から６までのいずれか１項記載の照明装置。
【請求項８】
光学的なエレメント（３０）が支持体（３３）に配置されている、請求項１から７までのいずれか１項記載の照明装置。
【請求項９】
少なくとも１つの嵌合ピン（３１）が、支持体（３３）に組み込まれた構成要素である、請求項８記載の照明装置。
【請求項１０】
支持体（３３）が少なくとも１つの切欠きを有しており、該切欠きが、嵌合ピンを収容するために適している、請求項８または９記載の照明装置。
【請求項１１】
少なくとも１つの発光ダイオード（２０）が、支持体（３３）に組み付けられている、請求項１から１０までのいずれか１項記載の照明装置。
【請求項１２】
発光ダイオード（２０）と支持体（３３）とが、少なくとも１つの嵌合ピン（３２）によって互いに対して位置調整されている、請求項１１記載の照明装置。
【請求項１３】
嵌合ピン（３２）が、発光ダイオード（２０）に組み込まれた構成要素である、請求項１１または１２記載の照明装置。
【請求項１４】
嵌合ピン（３２）が、支持体（３３）に組み込まれた構成要素である、請求項１１から１３でのいずれか１項記載の照明装置。
【請求項１５】
発光ダイオード（２０）が少なくとも１つの切欠き（２４）を有しており、該切欠き（２４）が、嵌合ピン（３２）を収容するために適している、請求項１１から１４までのいずれか１項記載の照明装置。
【請求項１６】
支持体（３３）が少なくとも１つの切欠きを有しており、該切欠きが、嵌合ピン（３２）を収容するために適している、請求項１１から１５までのいずれか１項記載の照明装置。
【請求項１７】
発光ダイオード（２０）と支持体（３３）とが、少なくとも１つの嵌合マークによって互いに対して位置調整されている、請求項１６記載の照明装置。
【請求項１８】
発光ダイオード（２０）が、少なくとも１つの発光ダイオードチップ（１）を有しており、該発光ダイオードチップ（１）に発光ダイオード光学系（４）が後置されている、請求項１から１７までのいずれか１項記載の照明装置。
【請求項１９】
発光ダイオード光学系（４）が、発光ダイオードチップ（１）により発せられた光線（３）の発散を減少させるために適している、請求項１８記載の照明装置。
【請求項２０】
発光ダイオード光学系（４）が、非結像型の集光器である、請求項１８または１９記載の照明装置。
【請求項２１】
発光ダイオード光学系（４）が、少なくとも部分的に、以下に挙げる光学的なエレメントのうちの少なくとも１つの形に形成されている：ＣＰＣ、ＣＥＣ、ＣＨＣ、切頭円錐体、円錐台形体、請求項２０記載の照明装置。
【請求項２２】
発光ダイオード光学系（４）が放射線入射開口（ｂ）を有しており、該放射線入射開口（ｂ）が、発光ダイオード（２０）の発光ダイオードチップ（１）の全放射線出力結合面の最大２倍の大きさに形成されている、請求項１８から２１までのいずれか１項記載の照明装置。
【請求項２３】
少なくとも１つの発光ダイオードチップ（１）が薄膜発光ダイオードチップである、請求項１から２２までのいずれか１項記載の照明装置。
【請求項２４】
請求項１から２３までのいずれか１項記載の少なくとも１つの照明装置を有する自動車用のヘッドライト。
【請求項２５】
照明装置を製造するための方法において、光学的なエレメント（３０）と発光ダイオード（２０）とを、嵌合ピン（３１）によって互いに対して位置調整することを特徴とする、照明装置を製造するための方法。
【請求項２６】
発光ダイオード（２０）と支持体（３３）とを、嵌合ピン（３２）によって互いに対して位置調整する、請求項２５記載の方法。
【請求項２７】
発光ダイオード（２０）と支持体（３３）とを、嵌合マークによって互いに対して位置調整する、請求項２５記載の方法。
【請求項２８】
位置調整のために光学的な画像処理システムを使用する、請求項２７記載の方法。
【発明の詳細な説明】
【技術分野】
【０００１】
本発明は照明装置に関する。さらに本発明は照明装置を製造するための方法に関する。さらに本発明は自動車ヘッドライトに関する。
【０００２】
本発明の課題は、特に多目的に使用可能となる照明装置を提供することである。さらに本発明の課題は、このような照明装置を製造するための方法を提供することである。さらに本発明の課題は、このような照明装置を備えた自動車ヘッドライトを提供することである。
【０００３】
上記課題は、請求項１に記載の照明装置、つまり少なくとも１つの発光ダイオードと、少なくとも１つの光学的なエレメントとが設けられている形式の照明装置において、発光ダイオードと光学的なエレメントとが、少なくとも１つの嵌合ピンによって互いに対して位置調整されていることを特徴とする照明装置、請求項２４に記載の自動車ヘッドライトならびに請求項２５に記載の照明装置を製造するための方法、つまり光学的なエレメントと発光ダイオードとを、嵌合ピンによって互いに対して位置調整することを特徴とする、照明装置を製造するための方法により解決される。請求項２〜請求項２３には、本発明による照明装置の有利な実施態様が記載されており、請求項２６〜請求項２８には、本発明による方法の有利な実施態様が記載されている。
【０００４】
照明装置が記載される。
【０００５】
照明装置の少なくとも１つの実施態様では、照明装置が少なくとも１つの発光ダイオードを有している。有利には、照明装置が複数の発光ダイオードを有している。付加的に、照明装置が発光ダイオードの他に別の光線を発生させる構成エレメント、たとえばハロゲンランプまたはガス放電ランプを有していることが可能である。
【０００６】
さらに照明装置の少なくとも１つの実施態様では、照明装置が光学的なエレメントを有している。光学的なエレメントは、屈折型または回折型の光学系であってよい。しかし、光学的なエレメントが反射型の光学系により与えられていることも可能である。さらに、光学的なエレメントが、上で挙げた光学系の組合せにより与えられていてもよい。
【０００７】
光学的なエレメントは、発光ダイオードにより発せられた光線の少なくとも一部に光学的なエレメントによって規定された通りの影響が与えられるように少なくとも１つの発光ダイオードに後置されていると有利である。
【０００８】
照明装置の少なくとも１つの実施態様では、各発光ダイオードに正確に１つの光学的なエレメントが一義的に対応していることが可能である。すなわち、光学的なエレメントは主として当該発光ダイオードから発せられた光線だけに影響を与える。
【０００９】
照明装置の少なくとも１つの実施態様では、複数の発光ダイオードに１つの共通の光学的なエレメントが後置されている。すなわち、１つの光学的なエレメントが、この光学的なエレメントに対応する複数の発光ダイオードの光線に影響を与える。特に、照明装置の全ての発光ダイオードに正確に１つの共通の光学的なエレメントが後置されていることが可能である。
【００１０】
照明装置の少なくとも１つの実施態様では、少なくとも１つの発光ダイオードと光学的なエレメントとが、少なくとも１つの嵌合ピンによって互いに対して位置調整されている。すなわち、発光ダイオードと光学的なエレメントとの互いに相対的な位置は、嵌合ピンによって規定されている。発光ダイオードと光学的なエレメントとが複数の嵌合ピンによって互いに対して位置調整されていると有利である。
【００１１】
発光ダイオードと光学的なエレメントとはこの場合、１つの共通の支持体に組み付けられていてよい。その場合、発光ダイオードに対して相対的な光学的なエレメントの位置が、光学的なエレメントと支持体とを互いに結合する少なくとも１つの嵌合ピンによって決定されていることが可能となる。さらに、発光ダイオードが光学的なエレメントに対して、支持体と発光ダイオードとを互いに結合する少なくとも１つの嵌合ピンによって位置調整されていることも可能である。さらに、発光ダイオードも光学的なエレメントも、それぞれ少なくとも１つの嵌合ピンによって支持体に結合されていることも可能である。その場合、発光ダイオードと光学的なエレメントとはこれらの嵌合ピンによってそれぞれ支持体に対して位置調整され、ひいては互いに対して位置調整されている。
【００１２】
照明装置の少なくとも１つの実施態様では、少なくとも１つの発光ダイオードと少なくとも１つの光学的なエレメントとを有する照明装置が記載される。この場合、発光ダイオードと光学的なエレメントとは少なくとも１つの嵌合ピンによって互いに対して位置調整されている。
【００１３】
照明装置の少なくとも１つの実施態様では、光学的なエレメントの少なくとも一部がファイバ光学系、つまりファイバオプティクスにより形成されている。すなわち、光学的なエレメントの少なくとも一部が光導波体を有している。１つの発光ダイオードの光線がファイバ光学系の少なくとも１つのファイバへ入力結合されると有利である。発光ダイオードがたとえば複数の発光ダイオードチップを有している場合、各発光ダイオードチップの光線がファイバ光学系の正確に１つのファイバに入力結合されると有利である。発光ダイオードにより形成された電磁的な放射線が光学系から再び射出する際に通過するファイバ光学系の一部には、たとえば付加的な光学的なエレメントが後置されていてよい。この付加的な光学的なエレメントは、たとえば屈折型または回折型のレンズにより形成されていてよい。
【００１４】
照明装置の少なくとも１つの実施態様では、嵌合ピンが２つの底面もしくは基面を有している。両底面もしくは両基面は１つの外周面により互いに結合されている。嵌合ピンの底面が互いに等しい形状および大きさを有していると有利である。外周面は有利には平滑に形成されていて、両底面もしくは両基面を１本の直線に沿って結んでいる。外周面は、嵌合ピンの両底面を通って形成される両平面に直角に位置していると有利である。たとえば、嵌合ピンは次の形状のうちの１つを有している：円筒形、直方体形。
【００１５】
少なくとも１つの実施態様では、嵌合ピンの両端部のうちの少なくとも一方の端部が切欠き内に係合している。すなわち、この切欠きは嵌合ピンを収容するために適している。この切欠きは嵌合ピンの、切欠き内に係合する方の端部の底面と同じ形状の周縁輪郭を有していると有利である。嵌合ピンがたとえば円筒形に形成されていると、切欠きは円形の孔により与えられていると有利である。
【００１６】
切欠きの開口は、嵌合ピンが当該切欠き内にぴたりと整合して係合するように寸法設定されていると有利である。たとえば、嵌合ピンは切欠き内に形状接続的に、つまり係合により嵌合している。その場合、嵌合ピンは切欠き内に差込み可能である。
【００１７】
しかし、切欠きの開口が嵌合ピンの、当該切欠き内に係合する方の端部の底面よりも少しだけ狭く形成されていることも可能である。その場合、嵌合ピンを切欠き内にプレス嵌めにより圧入することができる。その場合、このようなプレス嵌めによって機械的な強度向上も行われる。すなわち、光学的なエレメントは嵌合ピンによって機械的に支持体に結合されていてよい。
【００１８】
照明装置の少なくとも１つの実施態様では、嵌合ピンが別個の独立した構成部分である。その場合、嵌合ピンの両端部はそれぞれ１つの切欠き内に係合する。このためには、たとえば一方の切欠きが光学的なエレメントに設けられており、他方の切欠きが支持体に設けられており、この支持体に光学的なエレメントが結合されている。
【００１９】
少なくとも１つの実施態様では、嵌合ピンが、光学的なエレメントに組み込まれた構成要素である。すなわち、嵌合ピンの一方の端部が光学的なエレメントに固く結合されている。たとえば嵌合ピンは既に光学的なエレメントの製造時に当該光学的なエレメントの一部として一緒に形成されていてよい。たとえば、嵌合ピンは光学的なエレメントに固着成形されているか、固着射出成形されているか、接着されているか、または当該光学的なエレメントとワンピースに、つまり一体に形成されていてよい。
【００２０】
この場合には、光学的なエレメントに結合されていてかつたとえば発光ダイオードが配置されている支持体が、嵌合ピンを収容するために適した切欠きを有している。
【００２１】
しかし、少なくとも１つの実施態様では、嵌合ピンが、支持体に組み込まれた構成要素であることも可能である。この場合、嵌合ピンは既に支持体の製造時に支持体の一部として一緒に形成されていてよい。たとえば、嵌合ピンは支持体に固着成形されているか、固着射出成形されているか、接着されているか、または支持体の一部としてワンピースに形成されていてよい。その場合、光学的なエレメントが、嵌合ピンを収容するために適した切欠きを有していると有利である。
【００２２】
少なくとも１つの実施態様では、発光ダイオードが支持体に載置されている。この場合、発光ダイオードと支持体とが少なくとも１つの嵌合ピンによって互いに対して位置決めされていることが可能である。複数の発光ダイオードが支持体上に配置されていると、これらの発光ダイオードは嵌合ピンによって支持体に対して位置調整され、ひいては互いに対しても位置調整されていてよい。
【００２３】
照明装置の少なくとも１つの実施態様では、嵌合ピンが、発光ダイオードに組み込まれた構成要素である。その場合、嵌合ピンは既に発光ダイオードの製造時に発光ダイオードの一部として一緒に形成されていてよい。たとえば、嵌合ピンは発光ダイオードに固着成形されているか、固着射出成形されているか、接着されているか、または発光ダイオードの一部としてワンピースに形成されていてよい。その場合、支持体が、発光ダイオードに設けられた嵌合ピンを収容するために適した切欠きを有していると有利である。
【００２４】
少なくとも１つの実施態様では、嵌合ピンが、支持体に組み込まれた構成要素である。この場合にも、嵌合ピンは支持体の一部として一緒に形成されていてよい。たとえば、嵌合ピンは支持体に固着成形されているか、固着射出成形されているか、接着されているか、または支持体の一部としてワンピースに形成されていてよい。その場合、発光ダイオードが、支持体に設けられた嵌合ピンを収容するために適した切欠きを有していると有利である。
【００２５】
さらに、照明装置の少なくとも１つの実施態様では、支持体と発光ダイオードとが、別個の嵌合ピンを収容するために適したそれぞれ少なくとも１つの切欠きを有していることも可能である。その場合、この嵌合ピンを用いて、支持体と発光ダイオードとが互いに対して位置調整されている。
【００２６】
照明装置の少なくとも１つの実施態様では、発光ダイオードと支持体とが、少なくとも１つの嵌合マークによって互いに対して位置調整されている。嵌合マークは、たとえば発光ダイオードの表面に設けられたマーキングである。支持体も少なくとも１つの嵌合マークを有していると有利である。支持体と発光ダイオードとは、たとえば光学的な画像認識法を用いて発光ダイオードと支持体とに設けられた嵌合マークを互いに相対的に位置決めすることによって位置調整されていてよい。
【００２７】
照明装置の少なくとも１つの実施態様では、発光ダイオードが少なくとも１つの発光ダイオードチップを有している。この発光ダイオードチップには発光ダイオード光学系が後置されていると有利である。発光ダイオードが複数の発光ダイオードチップを有していて、これらの発光ダイオードチップに１つの共通の発光ダイオード光学系が後置されていると特に有利である。発光ダイオード光学系は、発光ダイオードチップにより発せられた電磁的な放射線の大部分に発光ダイオード光学系によって影響が与えられるように発光ダイオードチップに対して位置決めされていると有利である。発光ダイオード光学系は以下に挙げる光学的なエレメントのうちの少なくとも１つを有していると有利である：屈折型の光学系、回折型の光学系、反射型の光学系、ファイバ光学系。
【００２８】
照明装置の少なくとも１つの実施態様では、発光ダイオード光学系が、発光ダイオードチップにより発せられた光線の発散（Divergenz）を減少させるために適している。すなわち、発光ダイオードチップにより発せられた光線には、たとえば発光ダイオード光学系を通過する際に、光線の発散が、発光ダイオード光学系への入射前よりも出射後の方が小さくなるように影響が与えられる。
【００２９】
照明装置の少なくとも１つの実施態様では、発光ダイオード光学系が、非結像型の光学的な集光器である。この場合、発光ダイオード光学系は、光学的なエレメントの放射線入射開口が集光器の固有の放射線出射開口となるように少なくとも１つの発光ダイオードチップの放射線出力結合面に後置されていると有利である。すなわち、発光ダイオード光学系は発光ダイオードチップの方向に先細りになっている。こうして、放射線入射開口を通って発光ダイオード光学系に進入した電磁的な放射線は、放射線出射開口を通って、減じられた発散を持って集光器から進出する。
【００３０】
発光ダイオード光学系は、少なくとも部分的に、以下に挙げる光学的なエレメントのうちの１つとして形成されていてよい：複合放物面型集光器（CPC - Compound Parabolic Concentrator）、複合楕円型集光器（CEC - Compound Ellyptic Concentrator）、複合双曲線型集光器（CHC - Compound Hyperbolic Concentrator）。
【００３１】
発光ダイオード光学系は、発光ダイオードチップにより発せられた電磁的な放射線の少なくとも一部を反射させるために適した反射性の側壁を有していてよい。その場合、これらの側壁は少なくとも部分的に、上で挙げた光学的なエレメントのうちの１つとして形成されている。
【００３２】
照明装置の少なくとも１つの実施態様では、非結像型の集光器が、放射線入射開口を発光ダイオード光学系の放射線出射開口に接続する側壁を有している。この場合、これらの側壁は、当該側壁に沿って延びる、放射線入射開口と放射線出射開口との間を結ぶ結合線がほぼ真っ直ぐに延びるように形成されている。これらの側壁は、たとえば切頭ピラミッド形または円錐台形の形状を形成している。
【００３３】
発光ダイオード光学系はこの場合には、誘電性の材料から成る中実体であってよい。その場合、放射線入射開口を通じて発光ダイオード光学系に入射した電磁的な放射線が、前記中実体の側方輪郭を制限する側方の制限面のところで周辺媒体に対して反射されると有利である。
【００３４】
照明装置の少なくとも１つの実施態様では、各発光ダイオードチップに正確に１つの発光ダイオード光学系が対応している。光学的なエレメントの放射線入射開口は発光ダイオードチップの主放射方向における発光ダイオードチップの放射線出力結合面に後置されていると有利である。
【００３５】
しかし、複数の発光ダイオードチップが１つの共通の発光ダイオード光学系に対応していることも可能である。このためには、発光ダイオードチップが、たとえば少なくとも１つの直線に沿って配置されていてよい。その場合、光学的なエレメントの放射線入射開口は発光ダイオードチップの主放射方向における個々の発光ダイオードチップの放射線出力結合面の全面に後置されている。
【００３６】
少なくとも１つの実施態様では、発光ダイオード光学系の放射線入射開口が、光学的なエレメントに対応する発光ダイオードチップの全放射線出力結合面の最大２倍の大きさに形成された横断面を有している。全放射線出力結合面は、発光ダイオード光学系に対応する個々の発光ダイオードチップの放射線出力結合面の総和により与えられている。放射線入射開口の面積は、有利には発光ダイオード光学系に対応する発光ダイオードチップの全放射線出力結合面の最大１．５倍、特に有利には最大１．２５倍の大きさに形成されている。
【００３７】
このように小さな放射線入射開口により、電磁的な放射線が発せられる際に放射線が向けられる立体角を、発光ダイオードチップの放射線出力結合面のできるだけ近くで小さくすることが可能になる。発光ダイオードチップの放射線出力結合面のできるだけ近くでは、発光ダイオードチップにより発せられたビームコーンの横断面が特に小さくなる。このことは、最適化されたエタンデュを有する構成エレメントの構造を可能にする。すなわち、できるだけ高い放射線強度ができるだけ小さな面に投影される。エタンデュは光学系の維持量（Erhaltungsgroesse）である。エタンデュは、光源の面積と、光源が放射する際に成す立体角との積により形成されている。
【００３８】
照明装置の少なくとも１つの実施態様では、発光ダイオードチップの放射線出力結合面と発光ダイオード光学系の放射線入射開口との間にギャップ、たとえばエアギャップが配置されている。これにより、特に発散性の放射線が発光ダイオード光学系に入射するのではなく、発光ダイオード光学系への入射前にギャップを通じて側方に射出し得ることが達成されている。これによって、光学的なエレメントにより発せられた電磁的な放射線の発散を一層低減させることができる。
【００３９】
さらに、ギャップの代わりに、たとえば発光ダイオードチップの放射線出力結合面に後置されている側壁が、光学的なエレメントの放射線入射開口の近傍で吸収性に、または電磁的な放射線に対して透過性に形成されていることも可能である。こうして、発光ダイオードチップにより発せられた電磁的な放射線の高発散性の成分が光学的なエレメント内に入射しないことが達成されていてよい。
【００４０】
発光ダイオード装置の少なくとも１つの実施態様では、光学的なエレメントの放射線出射開口に付加的な光学的なエレメントが主放射方向で後置されている。付加的な光学的なエレメントは光線を屈折させる光学系または光線を回折させる光学系であると有利である。このような光学系を用いて、付加的な光学的なエレメントを通過する放射線の発散の一層の低減を達成することができる。
【００４１】
有利には、発光ダイオード光学系が、放射線入射開口を通過するビームコーンの発散を少なくとも１つの空間方向で低減させ、この場合、ビームコーンは放射線出射開口を通じた出射時に、発光ダイオード光学系に対応する発光ダイオードチップの放射線出力結合面に対して直角に位置する光学的なエレメントの長手方向中心軸線に対して０〜７０゜、有利には０〜２０゜、特に有利には０〜１０゜の開き角を有している。
【００４２】
照明装置の少なくとも１つの実施態様では、発光ダイオードが、複数の発光ダイオードチップのうちの少なくとも１つの発光ダイオードチップの放射線出力結合面に後置されたルミネッセンス−変換材料（Lumineszenz-Konversionsmaterial）を有している。当該照明装置の各発光ダイオードチップの放射線出力結合面にそれぞれルミネッセンス−変換材料が後置されていると有利である。
【００４３】
ルミネッセンス−変換材料は、発光ダイオードチップから送出された電磁的な放射線の少なくとも一部を波長変換するために適していると有利である。発光ダイオードチップにより発せられた放射線が、波長変換された成分と混合して白色の光線を形成することが有利である。
【００４４】
しかし、発光ダイオードチップにより発せられた電磁的な放射線をほぼ完全にルミネッセンス−変換材料によって波長変換することも可能である。たとえば、こうして発光ダイオードチップにより発せられた、非可視スペクトル領域の放射線を、可視スペクトル領域の放射線に変換することができる。その場合、ルミネッセンス−変換材料内のたとえば２種類の発光物質を使用することにより、光線混合によって、たとえば白色の光線を発生させることができる。波長変換のための適当な発光物質は、たとえば国際公開第９８／１２７５７号パンフレットに記載されている（同国際公開パンフレット中の発光物質に関する記載を参照）。
【００４５】
ルミネッセンス−変換材料は、照明装置の少なくとも１つの実施態様では、少なくとも部分的に放射線透過性の封止用の流込み材料に混加されていてよい。この流込み材料が発光ダイオードチップを少なくとも部分的に取り囲んでいると有利である。流込み材料は、たとえばエポキシ材料および／またはシリコーン材料を含有していてよい。
【００４６】
しかし、ルミネッセンス−変換材料は、個々の発光ダイオードチップの放射線出力結合面へ薄い層として直接に被着されていてもよい。
【００４７】
さらに、ルミネッセンス−変換材料が少なくとも所定の個所で発光ダイオード光学系内に内蔵されていることも可能である。すなわち、ルミネッセンス−変換材料は、たとえば薄い層として、発光ダイオードチップの放射線出力結合面に後置された側壁に被着されていてよい。ルミネッセンス−変換材料はこれらの側壁に均質に分配されていてよい。しかし、ルミネッセンス−変換材料が側壁の規定された個所に被着されていることも可能である。こうして、光学的なエレメントを通過する電磁的な放射線の特に規定された変換が可能となる。
【００４８】
少なくとも１つの実施態様では、発光ダイオードが、種々異なる波長の放射線を発する発光ダイオードチップを有していることも可能である。その場合、この放射線は互いに混合し合って白色の光線を形成すると有利である。たとえば、発光ダイオードが、赤色のスペクトル領域の光線を発するために適した少なくとも１つの発光ダイオードチップと、緑色のスペクトル領域の光線を発するために適した少なくとも１つの発光ダイオードチップと、青色のスペクトル領域の光線を発するために適した少なくとも１つの発光ダイオードチップとを有していてよい。色再現値を改善するためには、発光ダイオードが付加的に、別のスペクトル領域の光線、たとえば黄色のスペクトル領域の光線を発するために適した発光ダイオードチップを有していてよい。
【００４９】
照明装置の少なくとも１つの実施態様では、発光ダイオードの複数の発光ダイオードチップのうちの少なくとも１つの発光ダイオードチップが、放射線出力結合面を有しており、この放射線出力結合面によって、発光ダイオードチップにより発せられた電磁的な放射線の大部分が出力結合される（auskoppeln）。発光ダイオードチップにより発せられた全放射線がこの放射線出力結合面を通じて出射すると特に有利である。
【００５０】
放射線出力結合面は、たとえば発光ダイオードチップの表面の一部により与えられている。放射線出力結合面は、たとえば電磁的な放射線を発生させるために適した、発光ダイオードチップのエピタキシ層列に対して平行に配置されている発光ダイオードチップの主面により与えられていると有利である。
【００５１】
このためには、エピタキシ層列が、たとえばｐｎ接合、二重ヘテロ構造、単一量子井戸構造または特に有利には多重量子井戸構造を有していてよい。
【００５２】
「量子井戸構造」とは、本発明の枠内では、電荷キャリヤが閉込め（confinement）によってそのエネルギ状態の量子化を受けるようなあらゆる構造をも包含する。特に用語「量子井戸構造」は量子化の次元数に関する記載を含まない。したがって、「量子井戸構造」はとりわけ一次元量子井戸、量子ワイヤおよび量子ドットならびにこれらの構造のあらゆる組合せを包含する。
【００５３】
発光ダイオードチップは、成長基板が少なくとも部分的に除去されていて、最初の成長基板とは反対の側の表面に支持エレメントが被着されているような半導体発光ダイオードチップであると有利である。支持エレメントは成長基板と比べて比較的自由に選択され得る。その熱膨張率に関して、放射線を発生させるエピタキシ層列に特に良好に適合されている支持エレメントが選択されると有利である。さらに、支持エレメントは、特に良熱伝導性の材料を含有していてよい。
【００５４】
成長基板の除去により製造された、このような発光ダイオードチップは、しばしば「薄膜発光ダイオードチップ」と呼ばれ、有利には以下に挙げる特徴によりすぐれている：
−放射線を発生させるエピタキシ層列の、支持体側に向けられた第１の主面に反射性の層または層列が被着されているか、または形成されており、この反射性の層または層列はエピタキシ層列で発生された電磁的な放射線の少なくとも一部をエピタキシ層列へ戻し反射させる。
−エピタキシ層列が有利には最大２０μｍ、特に有利には最大１０μｍの厚さを有している。
−さらに、エピタキシ層列が有利には、混合構造を有する少なくとも１つの面を備えた少なくとも１つの半導体層を有している。理想的な事例では、この混合構造はエピタキシ層列における光線のほぼエルゴード的な分配をもたらす。すなわち、この混合構造はできるだけエルゴード的な確率的なばらつき特性を有している。
【００５５】
薄膜発光ダイオードチップの基本原理は、たとえば刊行物  シュニッツア（Ｉ．Schnitzer）他著の「Ａｐｐｌ．Ｐｈｙｓ．Ｌｅｔｔ．６３（１６）」（１９９３年１０月１８日）２１７４頁〜２１７６頁に記載されている（薄膜発光ダイオードチップの基本原理に関する記載を参照）。
【００５６】
照明装置の全ての発光ダイオードチップが薄膜発光ダイオードチップであると有利である。
【００５７】
さらに、上に記載した照明装置の少なくとも１つを有する自動車用のヘッドライトが記載される。この自動車用のヘッドライトはさらにハウジングを有していてよく、このハウジング内に、上で説明した照明装置の少なくとも１つの照明装置が配置されている。このハウジングは、たとえば自動車ボディの一部であってよい。さらに、自動車用のヘッドライトは、上記照明装置にその主放射方向で後置されている透過性のカバープレートまたはヘッドライト光学系を有していてよい。
【００５８】
さらに、照明装置を製造するための方法が記載される。
【００５９】
本発明による方法の少なくとも１つの実施態様では、光学的なエレメントと発光ダイオードとが、少なくとも１つの嵌合ピンによって互いに対して位置調整される。
【００６０】
当該方法を用いて、光学的なエレメントと発光ダイオードとを規定通りに互いに相対的に位置決めすることが可能になる。
【００６１】
このためには、嵌合ピンが、たとえば嵌合ピンのために設けられた切欠き内に押し込まれるか、または圧入される。たとえば、このためには発光ダイオードが支持体に被着されている。その場合、光学的なエレメント、支持体または光学的なエレメントと支持体とは、嵌合ピンを収容するために適した切欠きを有している。この場合、嵌合ピンは支持体または光学的なエレメントに組み込まれた構成要素であるか、または別個の構成部分である。嵌合ピンによって、光学的なエレメントと支持体とを互いに相対的に位置決めし、ひいては光学的なエレメントと、支持体に組み付けられた発光ダイオードとを互いに対して位置調整することが可能となる。
【００６２】
当該方法の少なくとも１つの実施態様では、発光ダイオードと支持体とが嵌合ピンによって互いに対して位置調整される。この場合、嵌合ピンが両構成部分のうちのいずれか一方に組み込まれた構成要素であることが可能である。さらに、嵌合ピンが別個の構成部分であることも可能であり、その場合、発光ダイオードおよび支持体が、嵌合ピンを収容するために適した切欠きを有している。当該方法によって、発光ダイオードと支持体とを互いに相対的に規定通りに位置決めすることができる。複数の発光ダイオードと１つの支持体とが互いに位置調整される場合、さらに嵌合ピンによって発光ダイオード同士の相互位置調整も行われる。
【００６３】
当該方法の少なくとも１つの実施態様では、発光ダイオードと支持体とが嵌合マークによって互いに対して位置調整される。このためには、発光ダイオードと支持体とがそれぞれ少なくとも１つの嵌合マークを有している。両構成部分に設けられた嵌合マークは、たとえば光学的な画像処理システムによって互いに相対的に位置決めされる。嵌合マークは、発光ダイオードおよび支持体の表面に被着されたマ―キング、たとえばカラーマーキングであってよい。しかし、１つの構成部分の特定のエレメントが嵌合マークとして機能することも可能である。すなわち、たとえば発光ダイオードの特定の発光ダイオードチップが嵌合マークとして使用され得る。
【００６４】
照明装置を製造するための方法の少なくとも１つの実施態様では、支持体における発光ダイオードの固定が、発光ダイオードと支持体との相互位置調整および光学的なエレメントと発光ダイオードとの相互位置調整の後ではじめて行われる。このためには、ＵＶ硬化性の接着剤を用いて発光ダイオードを支持体に固定することができる。この接着剤は、これらの構成部分の相互位置調整が完了した後でしか硬化されない。
【００６５】
以下に、本発明の照明装置の実施例を図面につき詳しく説明する。
【００６６】
実施例および図面中、同一の構成要素または同一作用を有する構成要素には、それぞれ同じ符号が付与されている。図示の各構成要素は縮尺通りであるとはみなされず、それどころか個々のエレメントは分かり易くする目的で誇張して大きく描かれている場合もある。
【００６７】
図１は、発光ダイオードの第１実施例による発光ダイオード光学系を備えた発光ダイオードの概略的な断面図である。
【００６８】
図２は、非結像型の光学的な集光器の機能形式を説明するための概略図である。
【００６９】
図３は、発光ダイオードの第２実施例による発光ダイオード光学系の概略的な断面図である。
【００７０】
図４ａは、発光ダイオードの第３実施例による発光ダイオードの概略的な斜視図である。
【００７１】
図４ｂは、発光ダイオード光学系を備えた発光ダイオードの第３実施例を示す斜視図である。
【００７２】
図５ａは、照明装置の第１実施例を示す斜視側面図である。
【００７３】
図５ｂは、照明装置の第１実施例を示す斜視正面図である。
【００７４】
図６ａは、照明装置の第２実施例を示す斜視側面図である。
【００７５】
図６ｂは、照明装置の第２実施例を示す斜視正面図である。
【００７６】
図７ａは、照明装置の第３実施例を示す斜視側面図である。
【００７７】
図７ｂは、照明装置の第３実施例を示す斜視正面図である。
【００７８】
図８ａは、照明装置の第４実施例を示す斜視側面図である。
【００７９】
図８ｂは、照明装置の第４実施例を示す斜視正面図である。
【００８０】
図１には、発光ダイオード２０の第１実施例による発光ダイオード光学系４を備えた発光ダイオード２０の概略的な断面図が図示されている。
【００８１】
発光ダイオードチップ１は支持体２に被着されている。支持体２は、たとえばセラミック材料を含んでいてよい。たとえば、支持体２は発光ダイオードチップ１をコンタクトするためのスルーホールメッキ等の貫通接続部を有している。図示の実施例では、支持体２がプリント配線板２５に被着されている。このプリント配線板２５は、たとえば発光ダイオードチップ１をコンタクトするための複数の導体路およびコンタクト部を有している。
【００８２】
発光ダイオードチップ１は、たとえば本明細書の一般的な部分で説明したような薄膜型発光ダイオードチップである。
【００８３】
発光ダイオードチップ１には、発光ダイオード光学系４が後置されている。この発光ダイオード光学系４は、たとえば三次元のＣＰＣ型の非結像式の光学的な集光器であってよい。発光ダイオード光学系４は光線入射開口もしくは放射線入射開口ｂを有しており、発光ダイオードチップ１から発せられた電磁的な放射線３はこの放射線入射開口ｂを通り抜けることができる。電磁的な放射線３は少なくとも部分的に発光ダイオード光学系４の側壁で反射される。このためにこれらの側壁は反射性の被覆体を備えていると有利である。次いで、電磁的な放射線３は放射線出射開口５を通じて発光ダイオード光学系４から出射する。
【００８４】
発光ダイオード光学系４の放射線入射開口ｂが発光ダイオードチップ１の放射線出力結合面に近付けられれば近付けられるほど、放射線入射開口ｂはますます小さく形成されていてよくなり、そして放射線出射開口５を通じて出射する電磁的な放射線３のビーム密度（エタンデュ；Etendue）はますます高くなる。発光ダイオード光学系４と発光ダイオードチップ１とは一緒になって発光ダイオード２０を形成している。
【００８５】
図１に示した実施例に対して択一的に、複数の発光ダイオードチップが、たとえば１つの直線に沿って支持体２に配置されていて、これらの発光ダイオードチップに１つの共通の発光ダイオード光学系４が対応していることも可能である（図４ａおよび図４ｂも参照）。
【００８６】
図２から判るように、発光ダイオード光学系４を通過した放射線のビームコーン６は、発光ダイオード光学系４の中心軸線７に対して最大の角度θを成して放射線出射開口５から出射する。発光ダイオード光学系４の長さｌはこの場合、放射線入射開口ｂの与えられた幅において角度θを決定する。理想的なコンパクトな放物面集光器については、たとえば以下の関係が成り立つ：
【数１】
2008518410.tif 000003
【００８７】
たとえばθ＝９゜の最大の開放角を達成するためには、発光ダイオード光学系４の長さｌが、放射線入射開口ｂの幅の約２３倍の大きさに設定されていなければならない。
【００８８】
図３に示したように、ＣＰＣ型の集光器に対して択一的に発光ダイオード光学系は、放射線入射開口ｂから放射線出射開口５にまで直線状に真っ直ぐに延びる側壁８を有していてもよい。この場合、発光ダイオード光学系４は誘電性の材料から成る中実体であってよく、この中実体は円錐台形または切頭ピラミッド形の基本形状を有している。付加的に、放射線出射開口５は一種の球面レンズまたは非球面レンズのように外方へ向かって湾曲させられていてよい。このようなレンズは付加的な発光ダイオード光学系９を形成する。この付加的な発光ダイオード光学系９は発光ダイオード光学系の一部であって、光学的なエレメント４を通る放射線３の発散（拡がり）を減少させるために適している。
【００８９】
図４ａには、発光ダイオード２０の第３実施例による発光ダイオード２０の斜視図が示されている。
【００９０】
この第３実施例では、多数の発光ダイオードチップ１が１つの支持体２に１つの線に沿って配置されている。４つまたは５つの発光ダイオードチップ１が支持体２に配置されていると有利である。
【００９１】
支持体２はさらに内壁２ａを有している。この内壁２ａは発光ダイオードチップ１に後置されている。内壁２ａは、発光ダイオードチップ１から発せられた放射線を反射させるために適していると有利である。このためには、支持体内壁２ａが反射性の材料を有しているか、または反射性の被覆体を備えている。支持体２の内壁２ａは発光ダイオード光学系４を形成しているか、または発光ダイオード光学系４の一部である。たとえば、内壁２ａは、さらに上で説明したような非結像型の集光器の形に成形されていてよい。
【００９２】
支持体２はプリント配線板２５に搭載されている。プリント配線板２５は、たとえば金属コアボード（Metallkernplatine）である。支持体２はさらにコンタクト面２１を有している。このコンタクト面２１を介して発光ダイオードチップ１を電気的にコンタクトすることができる。プリント配線板２５に設けられた複数の導体路２７によって、コンタクト面２１は電気的なアウタコンタクト面２２に接続されている。対応コネクタ２３によって、単純な差込み結合を介してアウタコンタクト面２２を外部からコンタクトすることができる。付加的に、発光ダイオードチップ１には少なくとも１つのバリスタ２６が並列に接続されていてよい。このバリスタ２６は発光ダイオードチップ１のための過電圧保護として働く。さらに、プリント配線板２５は複数の切欠き２４を有していてよい。この切欠き２４は嵌合ピンを収容するために適している。図示の実施例では、切欠き２４が嵌合孔により与えられている。
【００９３】
図５ａには、前記照明装置の第１実施例の斜視側面図が図示されている。図５ｂには、図５ａに示した照明装置の斜視正面図が図示されている。
【００９４】
たとえば図１、図３または図４につき説明した複数の発光ダイオードチップが、１つの支持体３３に組み付けられている。支持体３３は、作動時に発光ダイオード２０により発生される熱のための冷却体（ヒートシンク）としても働くと有利である。このためには、たとえば支持体３３の、発光ダイオード２０とは反対の側の表面が複数の冷却リブを有している。支持体３３は、たとえば銅のような良熱伝導性の金属を含有していると有利である。
【００９５】
複数の発光ダイオード２０（この実施例では３つの発光ダイオード２０）と支持体３３とは、嵌合ピン３２によって互いに対して位置調整されていてよい。こうして、発光ダイオード２０同士も互いに対して位置調整されている。嵌合ピン３２は、別個の構成部分であってよい。その場合、支持体３３および発光ダイオード２０は切欠き、たとえば嵌合孔を有している。支持体３３に設けられた嵌合孔と、発光ダイオード２０に設けられた嵌合孔とは、同一の直径を有しているので、嵌合ピン３２はそれぞれ互いに整合した両嵌合孔内にぴたりと係合している。
【００９６】
さらに、嵌合ピンが支持体３３に組み込まれた構成要素であることも可能である。すなわち、嵌合ピンは支持体３３に機械的に固く結合されている。このことは、たとえば既に支持体３３の製造時に行うことができる。その場合、発光ダイオード２０のプリント配線板２５は、これらの嵌合ピンを収容するために適した切欠き２４を有している。
【００９７】
また、嵌合ピン３２が、発光ダイオード２０に組み込まれた構成要素であることも可能である。その場合、支持体３３には、これらの嵌合ピンを収容するための切欠きが設けられている。
【００９８】
さらに、支持体３３と発光ダイオード２０とが嵌合マークによって互いに対して位置調整されていることが可能である。その場合、支持体３３に対する発光ダイオード２０の位置調整、ひいては発光ダイオード２０相互に対する位置調整は、たとえば画像処理システムを介して行われ得る。このためには、嵌合マークが、たとえば発光ダイオード２０のプリント配線板２５に設けられている。これらの嵌合マークはカメラにより検出されて、支持体３３に設けられた基準点に合わせて位置調整され得る。この基準点は別の嵌合マークであってよい。
【００９９】
支持体３３および発光ダイオード２０に設けられた嵌合マークは、マーキングにより与えられているか、または照明装置の構成部分の特定の構成エレメントにより与えられている。たとえば、発光ダイオード２０の特定の発光ダイオードチップ１がこのような嵌合マークを成していてよい。
【０１００】
照明装置の本実施例では、これらの発光ダイオード２０に１つの共通の光学的なエレメント３０が後置されている。この光学的なエレメント３０は、たとえば回折型（diffraktiv.）または屈折型（refraktiv.）のレンズである。このレンズは照明装置の全ての発光ダイオード２０に後置されているので、全ての発光ダイオード２０から発せられた光線に光学的なエレメント３０によって影響が与えられる。
【０１０１】
光学的なエレメント３０と支持体３３とは、嵌合ピン３１によって互いに対して位置調整されている。こうして、発光ダイオード２０と光学的なエレメント３０も互いに対して位置調整されている。
【０１０２】
嵌合ピン３１は別個の独立した構成部分であってよい。しかし、嵌合ピン３１が、支持体３３および光学的なエレメント３０のいずれか一方の構成部分に組み込まれた構成要素であることも可能である。その場合、それぞれ他方の構成部分は、嵌合ピン３１を収容するために適した切欠き、たとえば嵌合孔を有している。
【０１０３】
有利には、発光ダイオード２０と支持体３３との相互位置調整および光学的なエレメント３０と支持体３３との相互位置調整の後に、発光ダイオード２０は支持体３３に機械的に固く結合される。たとえば、発光ダイオード２０は接着、ねじ締結またはかしめ締結により支持体３３に結合されていてよい。光学的なエレメント３０も、位置調整過程の後に支持体３３に機械的に固く結合されると有利である。
【０１０４】
図６ａには、照明装置の第２実施例を示す斜視側面図が図示されている。図６ｂには、図６ａに示した照明装置の斜視正面図が図示されている。
【０１０５】
図５ａおよび図５ｂに示した実施例とは異なり、この場合、各発光ダイオード２０にはそれぞれ１つの光学的または回折型のレンズである。光学的なエレメント３０と、発光ダイオード２０が固定されている支持体３３とは、やはり嵌合ピン３２によって互いに位置調整されている。
【０１０６】
さらに、光学的なエレメント３０には、別の共通の光学的なエレメントが後置されていてよい（図示しない）。これにより、全システムが２段階光学系として設計されている。支持体３３に対する付加的な共通の光学的なエレメントの位置調整は、嵌合ピンまたは光学的な画像処理システムによって行なわれ得る。付加的な光学的なエレメントは、たとえば以下に挙げる光学的なエレメントのうちの１つである：回折型の光学系、屈折型の光学系、反射型の光学系、ホログラフィ型の光学系。
【０１０７】
図７ａには、前記照明装置の第３実施例を示す斜視側面図が図示されている。図７ｂには、図７ａに示した照明装置の斜視正面図が図示されている。
【０１０８】
図６ａおよび図６ｂに示した実施例とは異なり、図７ａおよび図７ｂに示した実施例では、発光ダイオード２０に光学的なエレメントとしてファイバ光学系３０が後置されている。ファイバ光学系３０の場合、発光ダイオードチップ１により形成された光線は導光体システム（Lichtleitersystem）のファイバに入力結合される。有利には各発光ダイオードチップ１が、ファイバ光学系の、当該発光ダイオードチップ１に一義的に対応配置された正確に１つのファイバに光線を入力結合する。ファイバ光学系３０と支持体３３とは、嵌合ピン３２と、対応する嵌合孔とによって互いに対して位置調整されていてよい。
【０１０９】
図８ａには、前記照明装置の第４実施例を示す斜視側面図が図示されている。図８ｂには、図８ａに示した照明装置の斜視正面図が図示されている。
【０１１０】
この実施例では、少なくとも１つの発光ダイオード２０が直接にリフレクタ３４内に組み付けられている。複数の発光ダイオード２０がリフレクタ３４内に組み付けられていると有利である。たとえば、発光ダイオード２０は嵌合孔を有している。その場合、発光ダイオード２０は嵌合ピン３２によってリフレクタ３４に対して位置調整される。付加的に、リフレクタ３４は嵌合ピンによって支持体３３に対して位置調整されていてよい。
【０１１１】
リフレクタ３４には、付加的な光学的なエレメント３０が組み付けられていてよい。この付加的な光学的なエレメント３０は、たとえば屈折型または回折型の光学的なエレメントであってよい。光学的なエレメント３０は嵌合ピン３１によってリフレクタ３４に対して、ひいてはこのリフレクタ３４に固定された発光ダイオード２０に対して位置調整されていてよい。
【０１１２】
全ての実施例において、発光ダイオード２０の少なくとも１つの発光ダイオードチップ１が、近赤外線領域の電磁的な放射線を放出するために適していることが可能である。赤外線−発光ダイオードチップにより発せられた放射線は、たとえば光学的なデテクタの使用下に自動車のナイトビジョン装置もしくは暗視装置において使用され得る。デテクタとしては、たとえばフォトダイオードが自動車のフロント範囲に取り付けられていてよい。たとえば、フォトダイオードは支持体３３に固定されて、コンタクトされている。赤外線−発光ダイオードチップ１により発せられた放射線の赤色光線成分は、発光ダイオード２０により発せられた白色光線の色再現値（Farbwidergabewert）を高めるために役立つことができる。
【０１１３】
本特許出願は、ドイツ連邦共和国特許出願第１０２００４０５２６８７．７号明細書およびドイツ連邦共和国特許出願第１０２００４０５６２５２．０−５４号明細書の優先権を主張するものである。
【０１１４】
本発明は、図示の実施例に限定されるものではない。それどころか、本発明はあらゆる新しい特徴ならびにこれらの特徴のあらゆる組合せをも包含する。このことは特に、実際に特許請求の範囲または実施例に明示されているか否かにかかわらず、特許請求の範囲に記載の特徴のあらゆる組合せを含んでいる。
【図面の簡単な説明】
【０１１５】
【図１】発光ダイオードの第１実施例による発光ダイオード光学系を備えた発光ダイオードの概略的な断面図である。
【図２】非結像型の光学的な集光器の機能形式を説明するための概略図である。
【図３】発光ダイオードの第２実施例による発光ダイオード光学系の概略的な断面図である。
【図４ａ】発光ダイオードの第３実施例による発光ダイオードの概略的な斜視図である。
【図４ｂ】発光ダイオード光学系を備えた発光ダイオードの第３実施例を示す斜視図である。
【図５ａ】照明装置の第１実施例を示す斜視側面図である。
【図５ｂ】照明装置の第１実施例を示す斜視正面図である。
【図６ａ】照明装置の第２実施例を示す斜視側面図である。
【図６ｂ】照明装置の第２実施例を示す斜視正面図である。
【図７ａ】照明装置の第３実施例を示す斜視側面図である。
【図７ｂ】照明装置の第３実施例を示す斜視正面図である。
【図８ａ】照明装置の第４実施例を示す斜視側面図である。
【図８ｂ】照明装置の第４実施例を示す斜視正面図である。
【図１】
2008518410.tif 000004
【図２】
2008518410.tif 000005
【図３】
2008518410.tif 000006
【図４Ａ】
2008518410.tif 000007
【図４Ｂ】
2008518410.tif 000008
【図５Ａ】
2008518410.tif 000009
【図５Ｂ】
2008518410.tif 000010
【図６Ａ】
2008518410.tif 000011
【図６Ｂ】
2008518410.tif 000012
【図７Ａ】
2008518410.tif 000013
【図７Ｂ】
2008518410.tif 000014
【図８Ａ】
2008518410.tif 000015
【図８Ｂ】
2008518410.tif 000016
【国際調査報告】
2008518410.tif 000017
2008518410.tif 000018
2008518410.tif 000019
2008518410.tif 000020